(57)【要約】【課題】  乗り降りのしやすさ、および切替え作業性などの操作性に優れたベッドを提供することを目的とする。【解決手段】  寝床部２、３、４と設置枠体５と可動枠体６とを備えたベッド１であって、設置枠体５は主ビーム１１と連結ビームを備え、脚部１５によって支持されている。可動枠体６は主ビーム２１と連結ビームとを備え、脚部２５によって支持されている。可動枠体６は、主ビーム１１をガイド部材として、ベッド１が椅子形態となる押込位置Ａから、ベッド形態となる引出位置Ｂまでスライド移動可能とされている。設置枠体５から脚部１５を取り外し、設置枠体５を直接床Ｆ上に設置した状態において、可動枠体５のスライド移動により椅子形態とベッド形態とを切り替えることができる。  【選択図】  図４
2004321774.tif 000002
【特許請求の範囲】
【請求項１】
所定方向に配列された第１ないし第３寝床部と、これらのうち第１寝床部および第２寝床部の一部を支持する設置枠体と、第２寝床部の他部および第３寝床部を支持する可動枠体とを備え、
設置枠体が、寝床部配列方向に延びる一対の設置枠体主ビームと、これら主ビームを互いに連結する設置枠体連結ビームとを備え、この設置枠体に着脱自在に取り付けられた脚部によって支持され、
可動枠体が、寝床部配列方向に延びる一対の可動枠体主ビームと、これら主ビームを互いに連結する可動枠体連結ビームとを備え、この可動枠体に着脱可能に取り付けられた脚部によって支持され、かつ前記設置枠体主ビームをガイド部材として、設置枠体に押込まれた押込位置から、設置枠体から引き出された引出位置までスライド移動可能とされ、
可動枠体が押込位置にあるときに、第３寝床部が座部となり第１および第２寝床部が背もたれとなる椅子形態となり、可動枠体が引出位置にあるときに前記第１ないし第３寝床部が同一面内に位置するベッド形態となり、
可動枠体のスライド移動により椅子形態とベッド形態とを切り替えることができるよう
に構成されていることを特徴とするベッド。
【請求項２】
可動枠体を支持する脚部が、脚部本体とキャスターとを備えたキャスター付脚部であることを特徴とする請求項１に記載のベッド。
【請求項３】
可動枠体には、前記脚部に代えて補助脚部が着脱自在に取り付け可能であり、可動枠体に補助脚部を取り付け、設置枠体を直接床上に設置したときに、可動枠体が補助脚部と設置枠体とによってほぼ水平に支持されるようになっており、可動枠体が引出位置にあるときにローベッドとなることを特徴とする請求項１または２に記載のベッド。
【請求項４】
可動枠体は、押込位置において、前記一対の設置枠体主ビームの間に配置されることを特徴とする請求項１〜３のうちいずれか１項に記載のベッド。
【請求項５】
可動枠体は、その高さ位置が設置枠体の下面よりも上である状態を保ったまま、設置枠体に対しスライド移動可能となっていることを特徴とする請求項１〜４のうちいずれか１項に記載のベッド。
【発明の詳細な説明】
【技術分野】
【０００１】
本発明は、ベッドに関し、特に、椅子としても使用可能な椅子兼用ベッドに関する。
【背景技術】
【０００２】
従来、この種のベッドとしては、例えば、特開平８−２４２９７３号公報（特許文献１）、特開昭５７−３９８０９号公報（特許文献２）に開示されたものがある。
特許文献１には、３分割したマットのうち前部マット後端と中央部マット前端とが回動自在に連結され、中央部マット後端と後部マット前端が回動可能に連結された折りたたみ椅子兼用ベッドが開示されている。
中央部マットと後部マットは、互いにほぼ垂直および水平方向の回動係止角を有する連結部材で連結されている。後部マットはキャスター付脚部により支持されている。
【０００３】
特許文献２には、前部マット後端と中央部マット前端とが回動自在に連結され、中央部マット後端と後部マット前端が回動可能に連結された折りたたみ椅子兼用ベッドが開示されている。
中央部マットの一端は椅子本体の支持フレームに支持され、中央部マットの他端は可動支持部材に支持されている。中央部マットと後部マットは、互いにほぼ垂直および水平方向の回動係止角を有する連結部材で連結されている。可動支持部材は支持フレーム間に収納可能となっている。
【特許文献１】特開平８−２４２９７３号公報
【特許文献２】特開昭５７−３９８０９号公報
【発明の開示】
【発明が解決しようとする課題】
【０００４】
しかしながら、従来のベッドでは、特に体力に劣る子供や老人などが使用する場合に、マットへの乗り降りのしやすさや、椅子形態とベッド形態との切替え作業性の点で不満があった。
本発明は、上記事情に鑑みてなされたもので、乗り降りのしやすさ、および切替え作業性などの操作性に優れたベッドを提供することを目的とする。
【課題を解決するための手段】
【０００５】
上記課題を解決するために、本発明のベッドは、所定方向に配列された第１ないし第３寝床部と、これらのうち第１寝床部および第２寝床部の一部を支持する設置枠体と、第２寝床部の他部および第３寝床部を支持する可動枠体とを備え、設置枠体が、寝床部配列方向に延びる一対の設置枠体主ビームと、これら主ビームを互いに連結する設置枠体連結ビームとを備え、この設置枠体に着脱自在に取り付けられた脚部によって支持され、可動枠体が、寝床部配列方向に延びる一対の可動枠体主ビームと、これら主ビームを互いに連結する可動枠体連結ビームとを備え、この可動枠体に着脱可能に取り付けられた脚部によって支持され、かつ前記設置枠体主ビームをガイド部材として、設置枠体に押込まれた押込位置から、設置枠体から引き出された引出位置までスライド移動可能とされ、可動枠体が押込位置にあるときに、第３寝床部が座部となり第１および第２寝床部が背もたれとな椅子形態となり、可動枠体が引出位置にあるときに前記第１ないし第３寝床部が同一面内に位置するベッド形態となり、可動枠体のスライド移動により椅子形態とベッド形態とを切り替えることができるように構成されていることを特徴とする。
可動枠体を支持する脚部は、脚部本体とキャスターとを備えたキャスター付脚部であることが好ましい。
【０００６】
本発明のベッドは、可動枠体に、前記脚部に代えて補助脚部が着脱自在に取り付け可能であり、可動枠体を補助脚部が取り付け、設置枠体を直接床上に設置したときに、可動枠体が補助脚部と設置枠体とによってほぼ水平に支持されるようになっており、可動枠体が引出位置にあるときにローベッドとなることが好ましい。
可動枠体は、押込位置において、前記一対の設置枠体主ビームの間に配置される構成とすることができる。
可動枠体は、その高さ位置が設置枠体の下面よりも上である状態を保ったまま、設置枠体に対しスライド移動可能とすることができる。
【発明の効果】
【０００７】
本発明のベッドは、次に示す効果を奏する。
（１）設置枠体を直接床上に設置することができるので、寝床部の高さを低く設定でき、寝床部への乗り降りが容易となる。
さらに、設置枠体を直接床上に設置した状態で、可動枠体のスライド移動により椅子形態とベッド形態とを切り替えることができるように構成されているので、切替え作業が容易である。従って、体力に劣る子供や老人等が使用する場合でも、容易な操作が可能とな
る。
（２）可動枠体が、主ビームと連結ビームとを備えた枠状体を有する構造であるので、可動枠体を軽量化することができる。従って、椅子形態とベッド形態との切替え作業を容易にすることができる。
（３）可動枠体の主ビームが、脚部と主ビームとに支持されるので、ベッド形態において、寝床部が撓むことがなく、安定性が高い。従って、優れた使用感（寝心地）を得ることができる。
【発明を実施するための最良の形態】
【０００８】
図１ないし図３は、本発明のベッドの一実施形態を示すものである。以下の説明において、図１における左方を前方といい、右方を後方ということがある。
ここに示すベッド１は、前側寝床部２（第１寝床部）と、該寝床部２の後方に設けられた中央側寝床部３（第２寝床部）と、該寝床部３の後方に設けられた後側寝床部４（第３寝床部）と、前側寝床部２および中央側寝床部３の一部（前部）を支持する設置枠体５と、中央側寝床部３の他部（後部）および後側寝床部４を支持する可動枠体６と、前側寝床部２の前方に設けられた天板７とを備えている。
【０００９】
寝床部２、３、４は、発泡樹脂などからなる弾性材を備えたマット状に形成してもよいし、板状に形成してもよい。図示例において、寝床部２、３、４は、それぞれ平面視矩形状に形成されている。
ベッド１は、前側寝床部２の後端に、中央側寝床部３の前端が回動自在に取り付けられ、中央側寝床部３の後端に後側寝床部４の前端が回動自在に取り付けられた構成とすることができる。
【００１０】
前側寝床部２は、開閉金具２８を介して設置枠体５に取り付けられている。中央側寝床部３および後側寝床部４は、開閉金具２９を介して可動枠体６に取り付けられている。
開閉金具２８、２９は、寝床部２、３、４に取り付けられたブラケットと、このブラケットを枠体５、６に連結して寝床部２、３、４を回動自在に支持する２とし、バネの付勢力によって、使用者が寝床部２、３、４を開くときに、それに要する力を軽減することができるように構成することができる。
【００１１】
設置枠体５は、寝床部２、３、４の配列方向（図１における左右方向）に延びる一対の設置枠体主ビーム１１、１１と、これら主ビーム１１、１１を互いに連結する設置枠体連結ビーム１２とからなる枠状体１３と、主ビーム１１の外面側に設けられた側板１４とを備えている。
設置枠体主ビーム１１、１１は、互いに間隔をおいて平行に配置されている。
設置枠体５は、この設置枠体５に着脱自在に取り付けられた脚部１５によって支持されている。脚部１５は、主ビーム１１の前端および後端に設けられている。
設置枠体５の内部は、可動枠体６を収容する可動枠体収容領域１６となっている。
【００１２】
可動枠体６は、寝床部２、３、４の配列方向に延びる一対の可動枠体主ビーム２１、２１と、これら主ビーム２１、２１を互いに連結する可動枠体連結ビーム２２とを備えた枠状体２３からなる。
可動枠体６は、主ビーム２１、２１の前端に設けられたキャスター２４と、主ビーム２１、２１の後端に設けられた脚部２５に支持されている。
キャスター２４は、主ビーム２１の外面側に設けられており、前記一対の設置枠体主ビーム１１上を、その長さ方向に沿って走行可能とされている。
可動枠体６は、キャスター２４が主ビーム１１上を走行することによって、主ビーム１１をガイド部材として、設置枠体５に対し接近および離間する方向（図１における左右方向）にスライド移動可能とされている。
脚部２５は、脚部本体２６と、その下端に設けられたキャスター２７とを備えたキャスター付脚部であり、可動枠体６に対し着脱可能に取り付けられている。
【００１３】
天板７は、差し込み係合などにより設置枠体５に取り付けられている。天板７は、設置枠体５に対し垂直に設けられている。
【００１４】
次に、図４ないし図７を参照して、ベッド１の動作について説明する。
図４および図５に示すように、可動枠体６を設置枠体５に向けて押すと、キャスター２４が前記一対の設置枠体主ビーム１１上を走行する。これによって、可動枠体６は、水平な姿勢を維持したまま主ビーム１１に沿って設置枠体５に向けてスライド移動し、設置枠体５に押し込まれた状態となる。この状態では、可動枠体６は一対の主ビーム１１間の可動枠体収容領域１６に収容される。
可動枠体６が移動する際には、キャスター２４が主ビーム１１上を走行するとともに、脚部２５のキャスター２７が床Ｆ上を走行するため、わずかな力で可動枠体６を移動させることができる。
以下、設置枠体５に押し込まれた可動枠体６の位置を押込位置Ａといい、実線で示すように、設置枠体５から離間する方向に移動した可動枠体６の位置を引出位置Ｂという。
【００１５】
図６に示すように、可動枠体６が引出位置Ｂにあるときには、寝床部２、３、４は、ほぼ水平な同一面内に位置する。ここに示すベッド１の形態をベッド形態という。
この状態では、前側寝床部２および中央側寝床部３の一部（前部）は、設置枠体５に支持され、中央側寝床部３の他部（後部）および後側寝床部４は可動枠体６に支持されている。
中央側寝床部３は、設置枠体５および可動枠体６によって、寝床部配列方向の全長にわたって支持されているため、使用者の荷重が加えられても下方に撓むことがない。
【００１６】
図７に示すように、可動枠体６が押込位置Ａにあるときには、ベッド１は、後側寝床部４が座部となり、前側および中央部寝床部２、３が背もたれとなるように折曲げられた状態となる。ここに示すベッド１の形態を椅子形態という。
ベッド１を椅子形態からベッド形態に変えるには、可動枠体６を押込位置Ａから引出位置Ｂに移動させる。
【００１７】
図８に示すように、ベッド１は、設置枠体５から脚部１５を取り外し、設置枠体５を直接床Ｆ上に設置し、可動枠体６を引出位置にしてローベッドとして使用することができる。
この状態において、可動枠体６は、その高さ位置が設置枠体５の下面５ａ（設置枠体５の最下部）よりも上である状態となる。このため、可動枠体６には、脚部２５に代えて、可動枠体６を支持する補助脚部３１を取り付ける。
補助脚部３１は、補助脚部本体３２と、その下端に設けられたキャスター３３とを備え、可動枠体６に着脱自在に取り付けられるようになっている。
補助脚部３１の長さは、設置枠体５を直接床Ｆ上に設置したときに、可動枠体６が補助脚部３１と設置枠体５とによってほぼ水平に支持されるように設定されている。
この例では、ローベッドとすることで、ベッド上に老人、病人が立ち上がった場合でも安定であり、安全性が高いものとなる。
【００１８】
また、ベッド１では、補助脚部本体３２の長さが異なる複数の補助脚部３１を用意しておき、それらの中から、可動枠体６がほぼ水平となるような長さの補助脚部３１を選択して使用することができる。
また、長さ方向に互いに連結可能な１または複数の分割体からなる補助脚部本体３２を用い、分割体使用数によって補助脚部３１の長さを調整することもできる。
【００１９】
図８に示すように、引出位置Ｂにある可動枠体６を設置枠体５に向けて押すと、キャスター２４が主ビーム１１上を走行し、可動枠体６は、水平な姿勢を維持したまま主ビーム１１に沿って設置枠体５に向けてスライド移動し、押込位置Ａに達する。
可動枠体６が移動する際には、キャスター２４が主ビーム１１上を走行するとともに、補助脚部３１のキャスター３３が床Ｆ上を走行するため、わずかな力で可動枠体６を移動させることができる。この際、可動枠体６は、その高さ位置が設置枠体５の下面５ａよりも上である状態を保ったままスライド移動する。
図９および図１０に示すように、ベッド１は、設置枠体５を直接床Ｆ上に設置する場合でも、可動枠体６の移動によって、ベッド形態（図９）と椅子形態（図１０）とを切り替えることができる。
【００２０】
次に、ベッド１の組み立て方法について説明する。
まず、脚部１５および脚部２５を、それぞれ設置枠体５および可動枠体６に取り付ける。
次いで、可動枠体６と設置枠体５とを組み合わせる。これら枠体５、６を組み合わせる際には、可動枠体６の主ビーム２１を主ビーム１１の長手方向に沿って設置枠体５内に挿入するか、主ビーム２１を２つの主ビーム１１間に上から配置する方法をとることができる。
次いで、天板７を、差し込み係合などにより設置枠体５に取り付ける。以上の操作によって、ベッド１を組み立てることができる。
【００２１】
上記ベッド１は、次に示す効果を奏する。
（１）設置枠体５を直接床Ｆ上に設置することができるので、寝床部２、３、４の高さを低く設定でき、寝床部２、３、４への乗り降りが容易となる。
さらに、設置枠体５を直接床Ｆ上に設置した状態で、可動枠体６のスライド移動により椅子形態とベッド形態とを切り替えることができるように構成されているので、切替え作業が容易である。従って、体力に劣る子供や老人等が使用する場合でも、容易な操作が可能である。
（２）可動枠体６が、主ビーム２１と連結ビーム２２とを備えた枠状体２３を有する構造であるので、可動枠体６を軽量化することができる。従って、椅子形態とベッド形態との切替え作業を容易にすることができる。
（３）可動枠体６の主ビーム２１が、脚部２５と主ビーム１１とに支持されるので、ベッド形態において、寝床部２、３、４が撓むことがなく、安定性が高い。従って、優れた使用感（寝心地）を得ることができる。
【００２２】
（４）設置枠体５および可動枠体６が、枠状体１３、２３を有する構造であるので、可動枠体６の主ビーム２１を主ビーム１１の長手方向に沿って設置枠体５内に挿入するか、主ビーム２１を２つの主ビーム１１間に上から配置することによって、容易に可動枠体６と設置枠体５とを組み合わせることができる。従って、ベッド１を組み立てるのが容易である。
（５）設置枠体５および可動枠体６が、主ビーム１１、２１と連結ビーム１２、２２とを備えた枠状体１３、２３を有する構造であるので、これら枠体５、６の組立ておよび分解が容易である。従って、ベッド１の組立ておよび分解が容易である。
（６）適切な長さの補助脚部３１を使用することによって、寝床部２、３、４をほぼ水平に配置することができる。従って、優れた使用感（寝心地）を得ることができる。
（７）可動枠体６に取り付けられる補助脚部３１として、長さ方向に互いに連結可能な１または複数の分割体からなる補助脚部本体３２を有するものを用いることによって、分割体使用数を適宜定めることにより補助脚部３１の長さを容易に調整することができる。従って、容易な操作で可動枠体６の姿勢を調整し、可動枠体６をほぼ水平となるように設置することができる。
【００２３】
図１１は、本発明のベッドの他の実施形態を示すものである。
ここに示すベッド４１では、設置枠体５を支持する脚部１５に代えて、キャスター付脚部である脚部３５が用いられている。脚部３５は、脚部本体３６と、その下端に設けられたキャスター３７とを備えており、設置枠体５に対し着脱可能に取り付けられている。
このベッド４１は、設置枠体５および可動枠体６が、それぞれキャスター付脚部である脚部２５、３５に支持されているので、キャスター２７、３７を床Ｆ上で走行させることによって、容易に移動させることができる。
【図面の簡単な説明】
【００２４】
【図１】本発明のベッドの一実施形態を示す側面図である。
【図２】図１に示すベッドを示す破断平面図である。
【図３】図１に示すベッドを示す正面図である。
【図４】図１に示すベッドを示す側面図である。
【図５】図１に示すベッドの内部構造を示す平面図である。
【図６】図１に示すベッドをベッド形態とした状態を示す斜視図である。
【図７】図１に示すベッドを椅子形態とした状態を示す斜視図である。
【図８】図１に示すベッドにおいて、脚部を取り外した状態を示す側面図である。
【図９】図８に示すベッドをベッド形態とした状態を示す斜視図である。
【図１０】図８に示すベッドを椅子形態とした状態を示す斜視図である。
【図１１】本発明のベッドの他の実施形態を示す側面図である。
【符号の説明】
【００２５】
１・・・ベッド、２・・・前側寝床部（第１寝床部）、３・・・中央側寝床部（第２寝床部）、４・・・後側寝床部（第３寝床部）、５・・・設置枠体、６・・・可動枠体、１１・・・設置枠体主ビーム、１２・・・設置枠体連結ビーム、１５、３５・・・脚部、２１・・・可動枠体主ビーム、２２・・・可動枠体連結ビーム、２５・・・脚部（キャスター付脚部）
【図１】
2004321774.tif 000003
【図２】
2004321774.tif 000004
【図３】
2004321774.tif 000005
【図４】
2004321774.tif 000006
【図５】
2004321774.tif 000007
【図６】
2004321774.tif 000008
【図７】
2004321774.tif 000009
【図８】
2004321774.tif 000010
【図９】
2004321774.tif 000011
【図１０】
2004321774.tif 000012
【図１１】
2004321774.tif 000013